【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
互いに積み重ねられた複数の光導波路を有し、それらの各第１の端部が入口面を画成し、それらの反対側の各端部が出口面を画成し、前記出口面は前記入口面と実質的に平行である光学パネルと、
前記出口面上に表示するために前記入口面を横切って外側に向けて画像ビームを投射する投射器と、
前記投射器と前記入口面との間に光学的に整列された、前記画像ビームを結像させる結像装置と、
内側に向かう光スポットの前記出口面上の位置を検出する少なくとも１つの光検出器と、
前記パネルから前記少なくとも１つの検出器へと前記光スポットの少なくとも一部を導く少なくとも１つのチャネリング要素と、
を有することを特徴とするディスプレイシステム。
【請求項２】
更に、前記結像装置及び前記少なくとも１つの検出器に動作可能に結合されたコントローラを有し、該コントローラは、前記結像装置を制御して、前記検出されたスポットの位置に対応する位置において前記出口面上に可視インジケータを表示させるように構成されていることを特徴とする請求項１に記載のディスプレイシステム。
【請求項３】
前記コントローラは更に、前記結像装置を制御して、実質的に前記検出されたスポットの位置における前記出口面上の位置に前記インジケータを表示させるように構成されていることを特徴とする請求項２に記載のディスプレイシステム。
【請求項４】
前記コントローラは更に、前記結像装置を制御して、前記出口面上にメニューを付加的に表示させ、又前記出口面に沿った前記スポットの移動に応じて、前記メニュー上に前記インジケータを配置させるように構成されていることを特徴とする請求項２に記載のディスプレイシステム。
【請求項５】
前記インジケータは、可視カーソルの形態であることを特徴とする請求項２に記載のディスプレイシステム。
【請求項６】
更に、前記内側に向かう光スポットを形成するために前記出口面に向けて光ビームを放射するように構成されたリモートポインタを有することを特徴とする請求項１に記載のディスプレイシステム。
【請求項７】
前記リモートポインタから放射された前記光ビームは、赤外光を含むことを特徴とする請求項６に記載のディスプレイシステム。
【請求項８】
前記少なくとも１つのチャネリング要素は、前記少なくとも１つの検出器を前記複数の導波路のうちの少なくとも一部に光学的に結合させることを特徴とする請求項１に記載のディスプレイシステム。
【請求項９】
前記複数の導波路の各々は、前記パネルの幅にわたって水平に延在しており、前記複数の導波路は、前記パネルの高さ方向に沿って垂直に互いに積み重ねられており、かつ、前記各導波路は傾斜することなく積み重ねられていることを特徴とする請求項１に記載のディスプレイシステム。
【請求項１０】
前記少なくとも１つのチャネリング要素は、前記少なくとも１つの検出器を前記パネルの高さ方向に沿って前記複数の導波路のうちの少なくとも一部に光学的に結合させることを特徴とする請求項９に記載のディスプレイシステム。
【請求項１１】
前記少なくとも１つのチャネリング要素は、前記少なくとも１つの検出器を前記パネルの高さ方向に沿って前記複数の導波路の実質的に全てに光学的に結合させ、これにより対応する実質的に前記出口スクリーンの高さ全体にわたる利用可能範囲を提供することを特徴とする請求項９に記載のディスプレイシステム。
【請求項１２】
前記少なくとも１つのチャネリング要素は、前記複数の導波路のうちの少なくとも一部に光学的に結合されたチャネリング要素入口面と、前記少なくとも１つの検出器の領域に光学的に結合されたチャネリング要素出口面と、を有することを特徴とする請求項８に記載のディスプレイシステム。
【請求項１３】
前記チャネリング要素入口面は、面積が前記チャネリング要素出口面よりも大きいことを特徴とする請求項１２に記載のディスプレイシステム。
【請求項１４】
前記チャネリング要素入口面は、面積が前記少なくとも１つの検出器の領域よりも大きいことを特徴とする請求項１２に記載のディスプレイシステム。
【請求項１５】
前記少なくとも１つのチャネリング要素は、前記パネルの１つの縁部に沿って前記パネルを架橋することを特徴とする請求項１に記載のディスプレイシステム。
【請求項１６】
前記少なくとも１つのチャネリング要素は、一対の前記チャネリング要素を有し、該一対の前記チャネリング要素は、前記パネルの向かい合う各縁部に沿って前記パネルを架橋することを特徴とする請求項１に記載のディスプレイシステム。
【請求項１７】
前記少なくとも１つのチャネリング要素は、複数の補助的な光導波路を有し、それらの各第１の端部が前記チャネリング要素入口面を画成し、それらの反対側の各端部が前記チャネリング要素出口面を画成することを特徴とする請求項１２に記載のディスプレイシステム。
【請求項１８】
前記少なくとも１つのチャネリング要素は更に、前記光学パネルの前記複数の補助的な導波路と前記複数の導波路とを光学的に相互接続する光結合器を有することを特徴とする請求項１７に記載のディスプレイシステム。
【請求項１９】
前記光学パネルは、前記光学パネルの前記複数の導波路の露出された部分を有する向かい合う各縁部を有し、前記複数の補助的な導波路は、前記光学パネルの各縁部のうちの１つに光学的に結合されていることを特徴とする請求項１７に記載のディスプレイシステム。
【請求項２０】
更に、
前記光学パネルの各縁部のうちのそれぞれの１つに光学的に結合された一対の前記チャネリング要素と、
それぞれのチャネリング要素出口面に光学的に結合された一対の前記少なくとも１つの検出器と、
を有することを特徴とする請求項１９に記載のディスプレイシステム。
【請求項２１】
更に、前記スポットの相対強度を比較して前記出口面に沿ったその横方向の位置を判定するために、前記一対の検出器に動作可能に結合された比較器を有することを特徴とする請求項２０に記載のディスプレイシステム。
【請求項２２】
前記複数の補助的な導波路は、前記光学パネルの入口面にその左側部分又は右側部分のいずれかに沿って光学的に結合されていることを特徴とする請求項１７に記載のディスプレイシステム。
【請求項２３】
更に、
前記光学パネルの入口面にその向かい合う左側部分及び右側部分に沿って光学的に結合された一対の前記チャネリング要素と、
それぞれのチャネリング要素出口面に光学的に結合された一対の前記少なくとも１つの検出器と、
を有することを特徴とする請求項１７に記載のディスプレイシステム。
【請求項２４】
更に、前記スポットの相対強度を比較して前記出口面に沿ったその横方向の位置を判定するために、前記一対の検出器に動作可能に結合された比較器を有することを特徴とする請求項２３に記載のディスプレイシステム。
【請求項２５】
前記光学パネルの入口面は、前記投射器からの前記外側に向かう画像ビームを前記光学パネル内へと再指向させるため、及び、前記光学パネルからの前記内側に向かう光スポットを前記複数の補助的な導波路内へと再指向させるために、当該入口面に光結合器を有することを特徴とする請求項２２に記載のディスプレイシステム。
【請求項２６】
前記各補助的な導波路は、リボンの形態であることを特徴とする請求項１７に記載のディスプレイシステム。
【請求項２７】
前記複数の補助的な導波路は、積み重ねられて、楔形態にされていることを特徴とする請求項２６に記載のディスプレイシステム。
【請求項２８】
前記少なくとも１つの検出器は直線状フォトダイオードアレイを有しており、前記アレイにおける各フォトダイオードの位置に対応する、前記出口面上の前記内側に向かう光スポットの横断方向の位置を判定できるようになっていることを特徴とする請求項１に記載のディスプレイシステム。
【請求項２９】
前記各補助的な導波路は、光ファイバーであることを特徴とする請求項１７に記載のディスプレイシステム。
【請求項３０】
前記各補助的な導波路は、光ファイバーであることを特徴とする請求項１９に記載のディスプレイシステム。
【請求項３１】
前記各補助的な導波路は、光ファイバーであることを特徴とする請求項２２に記載のディスプレイシステム。
【請求項３２】
前記少なくとも１つのチャネリング要素は、前記光学パネルと前記少なくとも１つの検出器との間に光学的に整列された結像レンズを有することを特徴とする請求項８に記載のディスプレイシステム。
【請求項３３】
前記結像レンズは、前記光学パネルの前記複数の導波路からの前記内側に向かう光スポットを、前記少なくとも１つの検出器上の対応する位置へと結像させることを特徴とする請求項３２に記載のディスプレイシステム。
【請求項３４】
前記少なくとも１つの検出器は直線状フォトダイオードアレイを有しており、前記アレイにおける各フォトダイオードの位置に対応する、前記出口面上の前記内側に向かう光スポットの横断方向の位置を判定できるようになっていることを特徴とする請求項３３に記載のディスプレイシステム。
【請求項３５】
前記少なくとも１つの検出器は２次元フォトダイオードアレイを有しており、前記アレイにおける各フォトダイオードの位置に対応する、前記出口面上の前記内側に向かう光スポットの横方向及び横断方向の位置の両方を判定できるようになっていることを特徴とする請求項３３に記載のディスプレイシステム。
【請求項３６】
前記少なくとも１つのチャネリング要素は更に、前記内側に向かう光スポットを前記結像レンズに向けて再指向させるために、前記結像レンズと前記光学パネルの前記複数の導波路との間に光学的に整列された光結合器を有することを特徴とする請求項３３に記載のディスプレイシステム。
【請求項３７】
前記結合器は、前記光学パネルの縁部に配置されることを特徴とする請求項３６に記載のディスプレイシステム。
【請求項３８】
前記光学パネルの入口面は、前記投射器からの前記外側に向かう画像ビームを前記光学パネル内へと再指向させるため、及び、前記光学パネルからの前記内側に向かう光スポットを前記結像レンズへと再指向させるために、当該入口面に光結合器を有することを特徴とする請求項３３に記載のディスプレイシステム。
【請求項３９】
前記光学パネルの前記各導波路は、リボンの形態であることを特徴とする請求項１に記載のディスプレイシステム。
【請求項４０】
前記内側に向かう光スポットは、前記出口面上のスポットを、指、掌、ペンシルイレイザー、スタイラス及び紙から成る群から選択される少なくとも１つのカバー要素で覆うことによって形成されることを特徴とする請求項１に記載のディスプレイシステム。
【請求項４１】
前記カバー要素は、前記画像ビームの少なくとも一部を少なくとも１つの導波路を通して内側に反射させ、これにより前記内側に向かう光スポットを提供することを特徴とする請求項４０に記載のディスプレイシステム。
【請求項４２】
前記カバー要素は、前記画像ビームの少なくとも一部を隣接する導波路内へと反射させ、これにより前記内側に向かう光スポットを提供することを特徴とする請求項４０に記載のディスプレイシステム。
【請求項４３】
前記カバー要素は、前記出口面に接触することを特徴とする請求項４０に記載のディスプレイシステム。
【請求項４４】
前記カバー要素は、前記出口面から離間していることを特徴とする請求項４０に記載のディスプレイシステム。
【請求項４５】
互いに積み重ねられた複数の光導波路を有し、それらの各第１の端部が入口面を画成し、それらの反対側の各端部が出口面を画成する光学パネルと、
前記出口面上に表示するために前記入口面を横切って外側に向けて画像ビームを投射する投射器と、
前記投射器と前記入口面との間に光学的に整列された、前記画像ビームを結像させる結像装置と、
内側に向かう光スポットの前記出口面上の位置を検出する少なくとも１つの光検出器と、
前記パネルから前記少なくとも１つの検出器へと前記光スポットの少なくとも一部を導く少なくとも１つのチャネリング要素と、
を有し、
前記複数の導波路の各々は、前記パネルの幅にわたって水平に延在しており、前記複数の導波路は、前記パネルの高さ方向に沿って垂直に互いに積み重ねられており、かつ、各前記導波路は傾斜することなく積み重ねられていることを特徴とするディスプレイシステム。
【請求項４６】
互いに積み重ねられた複数の光導波路を有し、それらの各第１の端部が入口面を画成し、それらの反対側の各端部が出口面を画成する光学パネルと、
前記出口面上に表示するために前記入口面を横切って外側に向けて画像ビームを投射する投射器と、
前記投射器と前記入口面との間に光学的に整列された、前記画像ビームを結像させる結像装置と、
内側に向かう光スポットの前記出口面上の位置を検出する少なくとも１つの光検出器と、
前記パネルから前記少なくとも１つの検出器へと前記光スポットの少なくとも一部を導く少なくとも１つのチャネリング要素と、
を有し、
前記少なくとも１つのチャネリング要素は、前記複数の導波路のうちの少なくとも一部に光学的に結合されたチャネリング要素入口面と、前記少なくとも１つの検出器の領域に光学的に結合されたチャネリング要素出口面と、を有することを特徴とするディスプレイシステム。
【請求項４７】
互いに積み重ねられた複数の光導波路を有し、それらの各第１の端部が入口面を画成し、それらの反対側の各端部が出口面を画成する光学パネルと、
前記出口面上に表示するために前記入口面を横切って外側に向けて画像ビームを投射する投射器と、
前記投射器と前記入口面との間に光学的に整列された、前記画像ビームを結像させる結像装置と、
内側に向かう光スポットの前記出口面上の位置を検出する少なくとも１つの光検出器と、
前記パネルから前記少なくとも１つの検出器へと前記光スポットの少なくとも一部を導く少なくとも１つのチャネリング要素と、
を有し、
前記少なくとも１つのチャネリング要素は、前記パネルの１つの縁部に沿って前記パネルを架橋することを特徴とするディスプレイシステム。
【請求項４８】
互いに積み重ねられた複数の光導波路を有し、それらの各第１の端部が入口面を画成し、それらの反対側の各端部が出口面を画成する光学パネルと、
前記出口面上に表示するために前記入口面を横切って外側に向けて画像ビームを投射する投射器と、
前記投射器と前記入口面との間に光学的に整列された、前記画像ビームを結像させる結像装置と、
内側に向かう光スポットの前記出口面上の位置を検出する少なくとも１つの光検出器と、
前記パネルから前記少なくとも１つの検出器へと前記光スポットの少なくとも一部を導く少なくとも１つのチャネリング要素と、
を有し、
前記少なくとも１つのチャネリング要素は、一対の前記チャネリング要素を有し、該一対の前記チャネリング要素は、前記パネルの向かい合う各縁部に沿って前記パネルを架橋することを特徴とするディスプレイシステム。
【請求項４９】
互いに積み重ねられた複数の光導波路を有し、それらの各第１の端部が入口面を画成し、それらの反対側の各端部が出口面を画成する光学パネルと、
前記出口面上に表示するために前記入口面を横切って外側に向けて画像ビームを投射する投射器と、
前記投射器と前記入口面との間に光学的に整列された、前記画像ビームを結像させる結像装置と、
内側に向かう光スポットの前記出口面上の位置を検出する少なくとも１つの光検出器と、
前記パネルから前記少なくとも１つの検出器へと前記光スポットの少なくとも一部を導く少なくとも１つのチャネリング要素と、
を有し、
前記少なくとも１つのチャネリング要素は、前記少なくとも１つの検出器を前記複数の導波路のうちの少なくとも一部に光学的に結合させ、前記少なくとも１つのチャネリング要素は、前記光学パネルと前記少なくとも１つの検出器との間に光学的に整列された結像レンズを有することを特徴とするディスプレイシステム。